(57)【特許請求の範囲】
【請求項１】
主筋と当該主筋の外側と内側にそれぞれ前記主筋と交差させて配置されたフープ筋と帯鋼からなる補強鋼材とを結束して鉄筋かごを構成するための鉄筋結束用金具において、前記主筋の外周に沿って前記鉄筋かごの外側から内側に水平に延びて平面Ｕ字状に形成された主筋把持部と、前記補強鋼材の内側に沿って前記鉄筋かごの上方に鉛直に延び、かつその上端から鉄筋かごの外側に水平に延びて側面Ｕ字状に形成された補強鋼材把持部とからなる金具本体と、当該金具本体に取り付けられ、当該金具本体とによって前記主筋と補強鋼材を挟持する座金および締付けナットと、前記座金に取り付けられ、前記フープ筋の外周に沿ってＵ字状に形成され、前記フープ筋を把持するフープ筋把持部とから構成されてなることを特徴とする鉄筋結束用金具。
【請求項２】
主筋把持部と補強鋼材把持部は、一本の鉄筋または異形鉄筋から形成されてなることを特徴とする請求項１記載の鉄筋結束用金具。
【請求項３】
金具本体および座金の表面に凹凸が形成されてなることを特徴とする請求項１または２記載の鉄筋結束用金具。
【発明の詳細な説明】
【技術分野】
【０００１】
本発明は、場所打ちコンクリート杭に使用される鉄筋かごの組み立てに際し、主筋と当該主筋の外側と内側にそれぞれ主筋と交差して設置されるフープ筋(スパイラル筋を含む)と補強鋼材とを結束するための鉄筋結束用金具に関する。
【背景技術】
【０００２】
場所打ちコンクリート杭の施工に際しては、例えば図３（ａ），（ｂ）に図示するように掘削された竪孔内に複数の主筋２０とこの主筋２０の外側にフープ筋またはスパイラル筋（以下、「フープ筋２１」という）が配筋され、さらに主筋２０の内側には帯鋼などからなる補強鋼材２２がフープ筋２１に沿ってリング状に設置されている。
【０００３】
特に補強鋼材２２は、鉄筋かごの強度をより高めるだけでなく、鉄筋かごの組み立てに際し、鉄筋かごの形状を保持するために設置されるもので、鉄筋かごの長さ(高さ)に応じて二段乃至三段程度取り付けられている。
【０００４】
また、これらの主筋２０とフープ筋２１および補強鋼材２２は予め地上で円筒状をなす鉄筋かごに組み立てられ、クレーン等で吊って竪孔に建て込まれる。
【０００５】
従来、上記した鉄筋かごの組み立てに際し、主筋２０とフープ筋２１、および主筋２０と補強鋼材２２は、交差する部分をそれぞれ溶接することにより結束されていた。また、主筋２０とフープ筋２１とを結束するための結束金具も幾つか開発されている。
【特許文献１】特開平１０−３７３８７号公報
【特許文献２】特開平０８−１０５０４４号公報
【特許文献３】特開２０００−２５７２１１号公報
【発明の開示】
【発明が解決しようとする課題】
【０００６】
しかし、溶接による結束は、天候や作業者の技量などによって溶接精度が大きく左右され、溶接不良などがあって信頼性に欠ける等の課題があった。
【０００７】
また、溶接熱が主筋やフープ筋に強度的に悪影響をおよぼすことが知られており、溶接による結束が自粛されてきている。
【０００８】
本発明は、以上の課題を解決するためなれたもので、鉄筋かごの組み立てに際し、主筋とフープおよび主筋と補強鋼材とを溶接を用いずに強固にかつ簡単に結束できるようにした鉄筋結束用金具を提供することを目的とする。
【課題を解決するための手段】
【０００９】
請求項１記載の鉄筋結束用金具は、主筋と当該主筋の外側と内側にそれぞれ前記主筋と交差させて配置されたフープ筋と帯鋼からなる補強鋼材とを結束して鉄筋かごを構成するための鉄筋結束用金具において、前記主筋の外周に沿って前記鉄筋かごの外側から内側に水平に延びて平面Ｕ字状に形成された主筋把持部と、前記補強鋼材の内側に沿って前記鉄筋かごの上方に鉛直に延び、かつその上端から鉄筋かごの外側に水平に延びて側面Ｕ字状に形成された補強鋼材把持部とからなる金具本体と、当該金具本体に取り付けられ、当該金具本体とによって前記主筋と補強鋼材を挟持する座金および締付けナットと、前記座金に取り付けられ、前記フープ筋の外周に沿ってＵ字状に形成され、前記フープ筋を把持するフープ筋把持部とから構成されてなることを特徴とするものである。
【００１０】
本発明は、鉄筋かごの主筋とフ−プ筋および補強鋼材とを、溶接を用いることなく簡単に結束できるようにしたものである。ここで用いられる金具本体は、丸鋼や異形鉄筋などから簡単に形成することができる。特に、異形鉄筋から形成されたものは、表面の凹凸による摩擦が大きいため、主筋と補強鋼材とを強固に挟み込むことができる。
【００１１】
なお、丸鋼からなる金具本体でも、主筋および補強鋼材との当接部分を部分的に凹凸面とすることにより、主筋および補強鋼材との摩擦力高めることができるため、主筋と補強鋼材とを強固に挟み込むことができる。
【００１２】
また、フープ筋把持部も薄鋼板または小径の鉄筋をＵ字状に折り曲げる等して簡単に形成することができ、これを締付け座金に溶接若しくはビス(ネジ止め)止めすることにより簡単に取り付けることができる。
【００１３】
特にビス止めする場合、回転自在に取り付けることによりフープ筋把持部を締付け座金に対して回転自在に形成することができるため、特にスパイラル筋を取り付けるのにてきしている。また、フープ筋把持部が弾力性(板バネ)を有して形成してあれば、バネの力でフープ筋を強固に把持することができるとともに、径の異なるフープ筋に対応することができる。
【００１４】
請求項２記載の鉄筋結束用金具は、請求項１記載の鉄筋結束用金具において、主筋把持部と補強鋼材把持部は、一本の鉄筋または異形鉄筋から形成されてなることを特徴とするものである。
【００１５】
また、曲げ加工のし易い比較的小径の鉄筋を複数抱き合わせて形成すれば、加工がし易く、容易に製作することができる。
【００１６】
請求項３記載の鉄筋結束金具は、請求項１または２記載の結束金具において、
金具本体および座金の表面に凹凸が形成されてなることを特徴とするものである。主筋および補強鋼材との摩擦力を高めたものである。
【発明の効果】
【００１７】
本発明は、締付けナットを締め付けるだけで主筋と補強鋼材とをきわめて簡単にかつ強固に結束することができ、また、この主筋および補強鋼材にフープ筋をフープ筋把持部に嵌合するだけで簡単に結束することができる。
【００１８】
また、溶接を一切使用しないので、主筋やフープ筋が溶接熱による悪影響を受けることもなく、異種材質の主筋とフープ筋も全く問題なく結束することができる。さらに、簡単な構造なので製作も容易であり、量産による製作コストの低減も可能である。
【発明を実施するための最良の形態】
【００１９】
図１と図２は、鉄筋かごの一例を示し、複数の主筋１が鉄筋かごの円周方向に所定間隔おきに設置され、当該主筋１の外側と内側にフープ筋２と補強鋼材３がそれぞれ設置されている。
【００２０】
フープ筋２は、主筋1の軸方向に所定間隔おきに配筋され、補強鋼材３は帯鋼から形成され、二乃至三箇所に設置されている。
【００２１】
また、主筋１とフープ筋２と補強鋼材３が交差する位置には鉄筋結束用金具４が取り付けられ、当該鉄筋結束用金具４によって主筋１とフープ筋２と補強鋼材３が互いに結束されている。こうして、所定径の鉄筋かご５が組み立てられている。
【００２２】
鉄筋結束用金具４は、金具本体６と当該金具本体６に取り付けられた締付け座金７および複数の締付けナット８，８と、締付け座金７の外側部に取り付けられたフープ筋把持部９とから構成されている。
【００２３】
金具本体６は、主筋１の外周に沿って鉄筋かご５の外側から内側に延びて平面Ｕ字状をなす主筋把持部６ａと、当該主筋把持部６ａの先端から補強鋼材３の内側に沿って鉄筋かご５の上方に延び、かつその先端から鉄筋かご５の外側に延びて側面Ｕ字状をなす補強鋼材把持部６ｂとから形成されている。
【００２４】
また、当該金具本体６の主筋把持部６ａと補強鋼材把持部６ｂは、１本の丸鋼または異形鉄筋を上記した形状に折り曲げることにより形成されており、その補強鋼材３の上側に鉄筋かご５の内側から外側に向かって水平に延びる自由端部分６ｃに雄ねじ部が形成されている。
【００２５】
締付け座金７は横長の矩形板状に形成され、その横方向の両端部に貫通孔７ａ，７ａが所定間隔をおいて形成されている。また、当該締付け座金７の外側のほぼ中央にフープ筋把持部９が側面Ｕ字状に突設され、さらに、締付け座金７の内側面、すなわち主筋１との当接面が凹凸状に形成されている。
【００２６】
このように形成された締付け座金７は、貫通孔７ａ，７ａに金具本体６の自由端６ｃ，６ｃをそれぞれ貫通させて主筋１の外側に添え付けられ、その後から自由端６ｃ，６ｃの雄ねじ部に締付けナット８，８がそれぞれ締め付けられている。そして、締付けナット８，８を強く締め付けることにより主筋１と補強鋼材３が一体的に結束されている。
【００２７】
また、主筋１の外側にフープ筋２がフープ筋把持部９に嵌合することにより取り付けられている。なお、主筋把持部６ａと補強鋼材把持部６ｂは鋳造でも形成することができる。
【産業上の利用可能性】
【００２８】
本発明は、場所打ちコンクリート杭に用いられる鉄筋かごを、溶接を用いることなく簡単に組み立てることができる。
【図面の簡単な説明】
【００２９】
【図１】（ａ）は鉄筋かごの平面図、（ｂ）は(ａ)におけるイ部拡大縦断面図である。
【図２】主筋とフープ筋と補強鋼材との結束部を示し、（ａ）は結束した状態を示す斜視図、（ｂ）は分解した状態を示す斜視図である。
【図３】（ａ）は場所打ちコンクリート杭の横断面図、（ｂ）は鉄筋かごの一部斜視図である。
【符号の説明】
【００３０】
１  主筋
２  フープ筋
３  補強鋼材
４  鉄筋結束用金具
５  鉄筋かご
６  金具本体
６ａ  主筋把持部
６ｂ  補強鋼材把持部
６ｃ  自由端部分
７  締付け座金
７ａ  貫通孔
８  締付けナット
９  フープ筋把持部
【図１】
0004738961.tif 000002
【図２】
0004738961.tif 000003
【図３】
0004738961.tif 000004